【手続補正書】
【提出日】平成17年8月5日(2005.8.5)
【手続補正１】
【補正対象書類名】特許請求の範囲
【補正対象項目名】全文
【補正方法】変更
【補正の内容】
【特許請求の範囲】
【請求項１】
ヒドロキシ基含有又は窒素含有有機基材を染色又はプリントするための三色染色方法において、式（Ｉ）
【化１】
2005505703.tif 000001
〔ここで、
Ｒ1は、Ｃ1-4アルキル基又は置換Ｃ2-4アルキル基であり、
Ｒ2及びＲ3は、互いに独立して、Ｈ、−ＯＨ、−ＣＮ、Ｃ1-2アルキル、−ＳＯ3Ｈ、−ＣＯＯＨ、−ＯＣ1-2アルキル又は−ＮＨ2であり、
Ｘは、ハロゲン基であり、そして
Ｙは、−ＣＨ＝ＣＨ2又は−ＣＨ2ＣＨ2−Ｚを意味し、Ｚは、アルカリにより脱離され得る基である〕
の少なくとも１種の赤色染色性化合物と、少なくとも１種の黄色（又は橙色）染色性化合物と、少なくとも１種の青色染色性化合物とを含む染料混合物を用いることを特徴とする三色染色方法。
【請求項２】
式（ＩＩ）
【化２】
2005505703.tif 000002
〔ここで、
Ｒ4及びＲ5は、互いに独立して、Ｈ又は−ＳＯ3Ｈを意味し、
Ａは、式（ｉ）又は（ｉａ）
【化３】
2005505703.tif 000003
（ここで、
Ｘ及びＹは、請求項１において定義されたのと同じ意味を有し、
Ｒ6及びＲ7は、互いに独立して、Ｈ、非置換Ｃ1-4アルキル又は置換Ｃ1-4アルキルを意味し、
Ｂは、
【化４】
2005505703.tif 000004
（ここで、Ｒ8はＣ1-4アルキル、−ＮＨ2又は−ＮＨＣ1-4アルキルを意味し、そして星印は−Ｎ＝Ｎ−基への結合を示す）を意味する）
の基を意味する〕
の少なくとも１種の黄色（又は橙色）染色性化合物、及び／又は式（ＩＩＩ）
【化５】
2005505703.tif 000005
〔ここで、
Ｒ9は、−ＳＯ3Ｈ又は−ＳＯ2Ｙを意味し、Ｙは請求項１において定義されたのと同じ定義を有し、
Ｒ10は、Ｈ又は−ＳＯ3Ｈを意味し、
Ｒ11は、Ｈ、非置換Ｃ1-4アルキル又は置換Ｃ1-4アルキルを意味し、
Ｄは、
【化６】
2005505703.tif 000006
（ここで、
Ｘ及びＹは、請求項１において定義されたのと同じ意味を有し、そして
Ｒ12は、Ｈ、非置換Ｃ1-4アルキル又は置換Ｃ1-4アルキルを意味する）
を意味する〕
の少なくとも１種の黄色（又は橙色）染色性化合物、及び／又は式（ＩＶ）
【化７】
2005505703.tif 000007
〔ここで、
Ｒ13は、Ｈ、メチル、メトキシ、エトキシ、−ＮＨＣＯＮＨ2又は−ＮＨＣＯＣＨ3を意味し、
Ｒ14は、Ｈ、メチル、メトキシ又はエトキシを意味し、
ＲＧは、
【化８】
2005505703.tif 000008
（ここで、
Ｒ15は、Ｈ又は塩素を意味する）
を意味し、
Ｙは、請求項１において定義されたのと同じ定義を有し、そしてアゾ基に関してメタ又はパラ位に結合され得る〕
の少なくとも１種の黄色（又は橙色）染色性化合物を含む染料混合物を用いることを含むことを特徴とする、請求項１に記載の三色染色方法。
【請求項３】
式（Ｖ）
【化９】
2005505703.tif 000009
〔ここで、
Ｒ16は、Ｈ又は−ＳＯ3Ｈを意味し、
Ｒ17は、
【化１０】
2005505703.tif 000010
（ここで、
Ｘ及びＹは、請求項１において定義されたのと同じ意味を有し、
Ｒ18及びＲ19は、互いに独立して、Ｈ、非置換Ｃ1-4アルキル又は置換Ｃ1-4アルキルであり、
ｎは、０又は１である）
を意味し、
Ｔは、
【化１１】
2005505703.tif 000011
（ここで、
Ｒ16は、上記に定義されたとおりの意味を有し、そしてＹは、請求項１において定義されたとおりの意味を有し、そして
Ｒ20は、Ｈ、非置換Ｃ1-4アルキル又は置換Ｃ1-4アルキルである）
を意味する〕
の少なくとも１種の青色染色性化合物、及び／又は式（ＶＩ）
【化１２】
2005505703.tif 000012
〔ここで、
Ｒ21は、Ｈ又は−ＣＯＯＨであり、
Ｒ22及びＲ24の各々は、独立して、Ｈ、−ＣＯＯＨ、−ＳＯ3Ｈ、−ＮＨＣＯＣＨ3、−ＮＨＣＯＣＨＹ2−ＣＨ2Ｙ1、−ＮＨＣＯＣＹ2＝ＣＨ2又は−ＮＨＣＯＣＨ2Ｙ1であり、
Ｒ23は、−ＣＯＯＨであり、
Ｙ1は、塩素、臭素、−ＯＳＯ3Ｈ又は−ＳＳＯ3Ｈであり、そして
Ｙ2は、Ｈ、塩素又は臭素である〕
の少なくとも１種の青色染色性化合物、及び／又は式（ＶＩＩ）
【化１３】
2005505703.tif 000013
〔ここで、
Ｙは、請求項１において定義されたのと同じ意味を有し、
Ｒ25は、Ｈ又は−ＳＯ3Ｈを意味し、
Ｒ26は、Ｈ又は−ＳＯ3Ｈを意味する〕
の少なくとも１種の青色染色性化合物、及び／又は式（ＶＩＩＩ）
【化１４】
2005505703.tif 000014
〔ここで、
各Ｙは、互いに独立して、請求項１において定義されたのと同じ意味を有し、
Ｒ27及びＲ28は、互いに独立して、Ｈ、非置換Ｃ1-4アルキル又は置換Ｃ1-4アルキルである〕
の少なくとも１種の青色染色性化合物を含む染料混合物を用いることを含むことを特徴とする、請求項１に記載の三色染色方法。
【請求項４】
式（Ｉａ）
【化１５】
2005505703.tif 000015
〔ここで、
Ｘ′は、Ｃｌ又はＦであり、
Ｒ′1は、Ｃ1-2アルキル基あり、
Ｒ′2及びＲ′3は、互いに独立して、Ｈ、Ｃ1-2アルキル基、−ＳＯ3Ｈ又は−ＯＣ1-2アルキルであり、そして
−ＳＯ2Ｙ基は、フェニル環に３、４又は５位にて結合され、Ｙは請求項１において定義されたとおりである〕
の少なくとも１種の赤色染色性化合物を含む染料混合物を用いることを特徴とする、請求項１、２又は３に記載の三色染色方法。
【請求項５】
Ｒ′1が、−Ｃ2Ｈ5、又はＣｌ、Ｆ、Ｂr、−ＯＨ、−ＣＮ若しくは−ＮＨ2により一置換されているＣ2-4アルキル基である、請求項４に記載の三色染色方法。
【請求項６】
Ｒ′2及びＲ′3が、互いに独立して、Ｈ、−ＣＨ3、−ＳＯ3Ｈ、又は−ＯＣＨ３である、請求項４又は５に記載の三色染色方法。
【請求項７】
式（ＩＩａ）、（ＩＩｂ）及び／若しくは（ＩＩｃ）
【化１６】
2005505703.tif 000016
〔ここで、Ａは
【化１７】
2005505703.tif 000017
である〕
の少なくとも１種の黄色（又は橙色）染色性化合物、並びに／又は式（ＩＩＩａ）若しくは（ＩＩＩｂ）
【化１８】
2005505703.tif 000018
〔ここで、Ｄは
【化１９】
2005505703.tif 000019
である〕
の少なくとも１種の黄色（又は橙色）染色性化合物、並びに／又は式（ＩＶａ）若しくは（ＩＶｂ）
【化２０】
2005505703.tif 000020
〔ここで、ＲＧは
【化２１】
2005505703.tif 000021
である〕
の少なくとも１種の黄色（又は橙色）染色性化合物を含む染料混合物を用いることを特徴とする、請求項１〜６のいずれか一項に記載の三色染色方法。
【請求項８】
式（Ｖａ）、（Ｖｂ）、（Ｖｃ）、（Ｖｄ）、（Ｖｅ）及び／若しくは（Ｖｆ）
【化２２】
2005505703.tif 000022
〔ここで、Ｔは
【化２３】
2005505703.tif 000023
である〕
の少なくとも１種の青色染色性化合物、並びに／又は式（ＶＩａ）若しくは（ＶＩｂ）
【化２４】
2005505703.tif 000024
の少なくとも１種の青色染色性化合物、並びに／又は式（ＶＩＩａ）若しくは（ＶＩＩｂ）
【化２５】
2005505703.tif 000025
の少なくとも１種の青色染色性化合物、並びに／又は式（ＶＩＩＩａ）
【化２６】
2005505703.tif 000026
の少なくとも１種の青色染色性化合物を含む染料混合物を用いることを特徴とする、請求項１〜７のいずれか一項に記載の三色染色方法。
【請求項９】
請求項１〜８のいずれか一項に記載の方法において用いられる染料混合物。
【請求項１０】
請求項１〜８のいずれか一項に記載の三色染色方法により染色またはプリントされたヒドロキシ基含有又は窒素含有有機基材から成る基材。